(57)【要約】【課題】患者に与える不安感を軽減できる歯科治療用椅子を提供する。【解決手段】治療を行なわないときには、バックレスト２の下面の空間にワークテーブルを収納しておく。治療に当たって、図に示すように、ワークテーブル６を引き出して、スライドアーム７を伸ばして、ワークテーブル６を所望の位置とし、治療器具等を載置して治療を行なう。治療を行なわないときには、ワークテーブル６が患者の目に入らないので、不安感を与えることを軽減できる。【選択図】図２
2005111101.tif 000002
【特許請求の範囲】
【請求項１】
コンターシートを有する歯科用治療椅子において、前記コンターシートの座面の下方にワークテーブルを引き出し自在に収納したことを特徴とする歯科治療用椅子。
【請求項２】
前記ワークテーブルにインスツルメントホルダが取り付けられていることを特徴とする請求項１に記載の歯科治療用椅子。
【請求項３】
前記ワークテーブルを収納する空間に殺菌、除菌のための装置が備えられていることを特徴とする請求項１または２に記載の歯科治療用椅子。
【発明の詳細な説明】
【技術分野】
【０００１】
本発明は、歯科治療において、治療中に、患者を座らせたり、寝かせたりするための歯科治療用椅子に関するものである。
【背景技術】
【０００２】
従来の歯科治療用椅子は、特許文献１に記載されているように、椅子の近くに、ワークテーブル、スピットン、無影灯、インスツルメントホルダ、フットスイッチ、アシスタント用インスツルメントホルダ等を配置して、歯科治療用ユニットとして構成し、患者を椅子に座らせたり、寝かせたりして治療を行なうものである。
【０００３】
このような歯科治療用ユニットを構成する歯科治療用椅子で治療を行なう場合には、術者用のワークテーブル、インスツルメントホルダ等が配置されている。これらワークテーブル、インスツルメントホルダは、常に歯科治療用椅子の近くにセットされている。したがって、患者が治療のために歯科治療用椅子に座るとき、治療が終了して歯科治療用椅子から離されるとき、あるいは、治療の相談をするときなど、治療に関係のないときでも、ワークテーブルや、インスツルメントホルダが患者から見える位置にセットされている。
【特許文献１】特開２００２−１５９５４０号公報
【発明の開示】
【発明が解決しようとする課題】
【０００４】
ワークテーブルには、メスやピンセットが置かれ、薬瓶も置かれている。インスツルメントホルダには、エアータービンをはじめ、各種のインスツルメントが保持されている。これらを見た患者は、不安感を覚えるものである。特に、治療を始める前に患者に不安感を与えることは問題がある。
【０００５】
本発明は、上述した事情に鑑みてなされたもので、歯科治療用インスツルメント等が患者に見えることにより患者に与える不安感を、軽減できるようにした歯科治療用椅子を提供することを目的とするものである。
【課題を解決するための手段】
【０００６】
請求項１に記載の発明は、コンターシートを有する歯科用治療椅子において、前記コンターシートの座面の下方にワークテーブルを引き出し自在に収納したことを特徴とするものである。
【０００７】
請求項２に記載の発明は、請求項１に記載の歯科治療用椅子において、前記ワークテーブルにインスツルメントホルダが取り付けられていることを特徴とするものである。
【０００８】
請求項３に記載の発明は、請求項１または２に記載の歯科治療用椅子において、前記ワークテーブルを収納する空間に殺菌、除菌のための装置が備えられていることを特徴とするものである。
【発明の効果】
【０００９】
本発明によれば、必要なときにのみワークテーブルや、インスツルメントホルダを所定の位置に配置でき、歯科治療用インスツルメント等を患者から見えないようにしておいて患者に与える不安感を軽減できる。
【発明を実施するための最良の形態】
【００１０】
本発明は、ワークテーブル、あるいは、ワークテーブルに加えてインスツルメントホルダをコンターシートの座面の下方に収納できるようにしたことで、治療をしていないときには、患者の目に触れないようにすることができる。
【実施例１】
【００１１】
図１は、本発明の歯科治療用椅子の実施例を説明するための要部斜視図で、図中、１は基台、２はバックレスト、３はコンターシート、４はフットシート、５は扉、５ａは把手である。
【００１２】
バックレスト２，コンターシート３，フットシート４よりなるシート体は、基台１に上昇下降、あるいは、傾斜角度等を調整できるように取り付けられている。これらシートの作動機構は、基台１に内蔵されているが、この作動機構を避けた空間にワークテーブルが内蔵されている。ワークテーブルを内蔵した部分には、扉５が設けられ、把手５ａを掴んで扉５を開けて、内蔵されたワークテーブルを引き出して、所定の位置にセットすることができる。なお、図１には、扉５を設けた例を示したが、この扉５は必ずしも必要なものでなく、図５に示すように、この部分を開口にしておき、ワークテーブルで閉鎖するようにしてもよい。
【００１３】
図２は、ワークテーブルを引き出した状態を説明するための概略面図、図３はワークテーブルの一例を示す斜視図で、図中、図１と同様の部分には同じ符号を付して説明を省略する。なお、６はワークテーブル、７はスライドアーム  ８，９は接手部、１０は座面である。
【００１４】
ワークテーブル６は、ピンセットなどの治療器具と薬瓶や、義歯などを載置するものであり、図３に示すように皿状部６ａや凹状部６ｂが設けられているのが普通であり、下面に接手部８を介してスライドアーム７が取り付けられている。接手部８としては、球軸受を用いた自在接手など、適宜の接手が用いられ、スライドアーム７に対する角度を調整できるようになされている。スライドアーム７は、２段のものを用いたが、３段以上の多段のものとしてもよい。スライドアーム７の下端は、接手部９により基台１の底部に取り付けられている。図２に示すように、治療中においては、ワークテーブル６は、コンターシートの座面１０の下方から治療に適した位置に引き出されて、その上に治療器具等が載置される。
【００１５】
図４，図５は、ワークテーブルの収納手順の説明図で、図中、図１，図２，図３と同様の部分には同じ符号を付して説明を省略する。
【００１６】
治療が終了した後など、治療中でない場合は、ワークテーブル６は、図５に示すように、座面１０の下方に収納される。ワークテーブル６が引き出された図２の状態から、ワークテーブル６を収納するには、ワークテーブル６に載置した治療器具等を図示しない収納容器等に移した後、ワークテーブル６を下方に向くように接手部８で曲げるとともに、スライドアーム７を縮める。そして、図５に示すように、接手部９を回動軸として、スライドアーム７の傾斜角度が大きくなるように接手部９を回動軸として回動させて、ワークテーブル６を座面１０の下方に収納する。スライドアーム７も、座面１０の下方に収納さされるから、図１に示す扉５を閉めることができる。したがって、治療中でない場合は、ワークテーブル６は、これから治療を行なおうとする患者等の目に触れることはない。収納されたワークテーブル６を引き出すには、逆の手順で引き出せばよい。
【実施例２】
【００１７】
図６〜図９は、ワークテーブルの収納構造の他の実施例を説明するためのもので、図６はワークテーブルを引き出した状態の要部の断面図、図７はワークテーブルの一例の斜視図、図８，図９はワークテーブルの収納手順の説明図である。図６〜図９において、図１〜図５と同様の部分には同じ符号を付し、その説明は省略する。１１はレール、１２はスライダー、１３はインスツルメントホルダ、１４はインスツルメント、１５はインスツルメントホースである。
【００１８】
この実施例では、図６に示すように、ワークテーブル６の下面にスライドアーム７が固定されている。スライドアーム７の下端にスライダー１２が取り付けられており、スライダー１２は、基台１の底部に取り付けられたレール１１に摺動可能に載置されている。ワークテーブル６が引き出された状態では、スライダー１２は、引き出し方向に前進した位置にある。したがって、ワークテーブル６の載置面は、常に水平に保たれている。
【００１９】
図７に示すように、ワークテーブル６には、インスツルメントホルダ１３が取り付けられている。この実施例では、インスツルメントホルダ１３は横置き式としたが、縦置き式でもよい。インスツルメントホルダ１３には、インスツルメントホース１５が取り付けられたインスツルメント１４が保持されている。したがって、ワークテーブル６が引き出された状態で、インスツルメント１４がセットされている状態となっている。なお、図６，図８，図９では、インスツルメントホルダ１３，インスツルメント１４等の図示は省略されている。
【００２０】
図６に示すワークテーブル６の引き出し状態からワークテーブル６を座面１０の下方に収納するには、図８に示すように、スライドアーム７を縮めた後、図９に示すように、前方に移動していたスライダー１２を後退させることによって、ワークテーブル６を座面１０の下方に収納することができる。収納位置にあっては、図１に示す扉５を閉めることができる。したがって、治療中でない場合は、ワークテーブル６は、これから治療を行なおうとする患者等の目に触れることはない。収納されたワークテーブル６を引き出すには、逆の手順で引き出せばよい。
【００２１】
この実施例では、収納状態においても、ワークテーブル６の上面を常に水平状態にすることができるので、インスツルメント１４をインスツルメントホルダ１３にセットしたまま、また、治療器具等をワークテーブル６に載置したまま収納することができる。
【００２２】
また、この実施例においては、ワークテーブル６とスライドアーム７との角度、および、スライドアーム７とスライダー１２との角度は固定されているが、これに限られるものではなく、ワークテーブル６とスライドアーム７との接続部に、図２，図４，図５で説明した接手部８を介在させ、また、スライドアーム７とスライダー１２との接続部に、図２，図４，図５で説明した接手部９を介在させてもよい。ワークテーブル６のセット位置を調整することが容易となる。
【００２３】
実施例１および実施例２において、ワークテーブル６の収納空間に殺菌、除菌のための装置を備え付けておくことにより、各患者の治療終了後に、簡単に殺菌、除菌ができ、衛生的に使用できる。
【００２４】
なお、上述した実施例では、スライドアームを用いているが、本発明は、これに限られるものではなく、リンク機構等、適宜の機構を用いることができる。
【産業上の利用可能性】
【００２５】
歯科治療用椅子において、患者に与える不安感を軽減できるという利点がある。
【図面の簡単な説明】
【００２６】
【図１】本発明の歯科治療用椅子の実施例を説明するための要部斜視図である。
【図２】ワークテーブルを引き出した状態を説明するための図である。
【図３】ワークテーブルの一例の斜視図である。
【図４】ワークテーブルの収納手順の説明図である。
【図５】ワークテーブルの収納手順の説明図である。
【図６】ワークテーブルを引き出した状態の要部の断面図である。
【図７】ワークテーブルの一例の斜視図である。
【図８】ワークテーブルの収納手順の説明図である。
【図９】ワークテーブルの収納手順の説明図である。
【符号の説明】
【００２７】
１…基台、２…バックレスト、３…コンターシート、４…フットシート、５…扉、５ａ…把手、６…ワークテーブル、７…スライドアーム、８，９…接手部、１０…座面、１１…レール、１２…スライダー、１３…インスツルメントホルダ、１４…インスツルメント、１５…インスツルメントホース。
【図１】
2005111101.tif 000003
【図２】
2005111101.tif 000004
【図３】
2005111101.tif 000005
【図４】
2005111101.tif 000006
【図５】
2005111101.tif 000007
【図６】
2005111101.tif 000008
【図７】
2005111101.tif 000009
【図８】
2005111101.tif 000010
【図９】
2005111101.tif 000011